(57)【要約】      （修正有）【課題】スライドレールを固定側部材に簡単に取付けることができるスライドレールの取付装置に関するものであり、固定側部材の奥行き寸法にかかわらずデッドスペースが生じることのないスライドレールの取り付け装置を提供する。【解決手段】スライドレールの後端部が、後端部保持部材６に保持され、前端部が前端部保持部材に保持されるスライドレールの取付装置において、固定側メンバーは、内面にボール摺動溝が形成された断面略Ｃ字形に形成され、後端部保持部材６は、固定側メンバーのボール摺動溝に後端から密嵌する上下嵌入突起６３を有し、前端部保持部材は、固定側メンバーの前端部を支持する前部載置用突部と、前部載置用突部の前端に連設された固定側メンバーの前方への移動を阻止するストッパー突部を有している。【選択図】図４
2010104735.tif 000002
【特許請求の範囲】
【請求項１】
固定側メンバーと、固定側メンバーに摺動自在に保持される移動側メンバー等よりなるスライドレールの後端部が、固定側部材に取付けられた後端部保持部材に保持され、前端部が固定側部材に取付られた前端部保持部材に保持されるスライドレールの取付装置において、固定側メンバーは、基板と、内面にボール摺動溝が形成された上下折曲縁より断面略Ｃ字形に形成され、後端部保持部材は、下折曲縁の下面に沿って固定側メンバーの後端部を支持する後部載置用突部と、後部載置用突部の後端に連設された固定側メンバーの後方への移動を阻止する移動防止用突壁と、移動防止用突壁の内面側に連設された、ボール摺動溝に後端から密嵌する上下嵌入突起と、移動防止用突壁の固定側部材側端部の前方と、後部載置用突部の固定側部材側端部の上方に連設された後部案内壁を有し、前端部保持部材は、下折曲縁の下面に沿って固定側メンバーの前端部を支持する前部載置用突部と、前部載置用突部の前端に連設された固定側メンバーの前方への移動を阻止するストッパー突部と、ストッパー突部と前部載置用突部の固定側部材側端部に上方に連設された前部案内壁を有している事を特徴とするスライドレールの取付装置。
【請求項２】
後端部保持部材の移動側防止突部と後部載置用突部は固定側メンバーとほぼ等しい厚みに形成され、後部案内壁と平行に位置する固定側部材の一部に形成された後取付用嵌合孔に、後端部保持部材に形成された連結用後部嵌合突起が嵌合して、固定側部材に後端部保持部材が取付られ、前部案内壁と平行に位置する固定側部材の一部に形成された前取付用嵌合孔に、前端部保持部材に形成された連結用前部嵌合突起が嵌合して、固定側部材に前端部保持部材が取付られている事を特徴とする請求項１に記載のスライドレールの取付装置。
【請求項３】
前部載置用突部は、移動側メンバーの収納状態で移動側メンバーの前端部に係脱自在となるラッチ部を、移動側メンバー側に有していることを特徴とする請求項１、又は、請求項２に記載のスライドレールの取付装置。
【請求項４】
後端部保持部材と前端部保持部材が固定側部材に取付けられた状態で、前部案内壁及び後部案内壁と固定側部材間に、移動側部材に設けられたカバー体の一部が通過可能な前後カバー用間隙が形成されていることを特徴とする請求項１、又は、請求項２、又は、請求項３に記載のスライドレールの取付装置。
【発明の詳細な説明】
【技術分野】
【０００１】
本発明はスライドレールを固定側部材に簡単に取付けることができるスライドレールの取付装置に関するものである。
【背景技術】
【０００２】
従来、スライドレールを固定側部材に取付ける装置として、固定側メンバーの後端部が前方から嵌入する嵌合筒部と、嵌合筒部後端に一体に形成され前方から固定側部材に連結される取付縁部よりなる後端保持部材と、固定側メンバーの上下寸法に一致する間隔を有してスライドレール側に突出して形成され、固定側メンバーの前端部が嵌合する上下支持突部と、固定側部材の前框の裏側に当接する位置決め突壁と、固定側メンバーと連結される連結突部が一体に形成された前端支持部材から構成されているものであった。（例えば特許文献１参照）
【０００３】
この場合、固定側メンバーの後端部は、後端保持部材の嵌合筒部に差し込まれて保持される構成であるから、嵌合筒部の嵌合孔の前方に固定側メンバーの後端部を正確に位置させた状態を維持しながら後方に移動して、嵌合孔に嵌入しなければならない。
このため、特にスライドレールが重い場合は、スライドレールを所定の状態に維持することが難しく、非常に煩雑な作業となっていた。
又、嵌合孔内にスライドレールの後端部が嵌入するので、移動側メンバーに取付けられる引出しの後端部は、嵌合筒部の前側までしか形成することができず、引出しの奥行き寸法を大きく構成することが出来なかった。
すなわち、引出しの後端面と固定側部材の背板間にデッドスペースが形成される事となる。
【０００４】
さらに、後端保持部材の取付縁部は、嵌合筒部後端に一体に形成され、前方から固定側部材に連結される構成であるから、固定側部材の奥行き寸法で、使用可能なスライドレールの長さが決定されてしまうので、引出し等の奥行き寸法に合わせて、長さの異なるスライドレールを選択して使用することが出来ず、汎用性に乏しかった。
【０００５】
又、スライドレールの前端側は、固定側メンバーと連結突部がネジ止め連結されて、スライドレールの前後移動を規制しているので、取り付け取り外し作業に工具を必要とし、手軽に取付位置を変えることも簡単ではなかった。
【０００６】
【特許文献１】特許第２５３４４５６号公報
【発明の開示】
【発明が解決しようとする課題】
【０００７】
本発明は、上記問題に鑑みてなされたものであり、簡単な構造で、容易にスライドレールを取付けることが出来、引出しの奥行き寸法に合わせて、長さの異なるスライドレールを選択することが可能で、固定側部材の奥行き寸法にかかわらずデッドスペースが生じることもなく、さらに、移動側メンバーが収納された状態では、不測に移動側メンバーが飛びだすこともない。
又、引出された状態のスライドレールを隠蔽することもできるスライドレールの取り付け装置を提供することを課題とする。
【課題を解決するための手段】
【０００８】
上記課題を解決する為、本発明が手段とする第１の特徴は、固定側メンバーと、固定側メンバーに摺動自在に保持される移動側メンバー等よりなるスライドレールの後端部が、固定側部材に取付けられた後端部保持部材に保持され、前端部が固定側部材に取付られた前端部保持部材に保持されるスライドレールの取付装置において、固定側メンバーは、基板と、内面にボール摺動溝が形成された上下折曲縁より断面略Ｃ字形に形成され、後端部保持部材は、下折曲縁の下面に沿って固定側メンバーの後端部を支持する後部載置用突部と、後部載置用突部の後端に連設された固定側メンバーの後方への移動を阻止する移動防止用突壁と、移動防止用突壁の内面側に連設された、ボール摺動溝に後端から密嵌する上下嵌入突起と、移動防止用突壁の固定側部材側端部の前方と、後部載置用突部の固定側部材側端部の上方に連設された後部案内壁を有し、前端部保持部材は、下折曲縁の下面に沿って固定側メンバーの前端部を支持する前部載置用突部と、前部載置用突部の前端に連設された固定側メンバーの前方への移動を阻止するストッパー突部と、ストッパー突部と前部載置用突部の固定側部材側端部に上方に連設された前部案内壁を有しているものである。
【０００９】
次に、上記課題を解決するため本発明が手段とする第２の特徴は、上記第１の特徴に加えて、後端部保持部材の移動側防止突部と後部載置用突部は固定側メンバーとほぼ等しい厚みに形成され、後部案内壁と平行に位置する固定側部材の一部に形成された後取付用嵌合孔に、後端部保持部材に形成された連結用後部嵌合突起が嵌合して、固定側部材に後端部保持部材が取付られ、前部案内壁と平行に位置する固定側部材の一部に形成された前取付用嵌合孔に、前端部保持部材に形成された連結用前部嵌合突起が嵌合して、前端部保持部材が固定側部材に取付られているものである。
【００１０】
さらに、上記課題を解決するため本発明が手段とする第３の特徴は、上記第１の特徴、又は、上記第２の特徴に加えて、前部載置用突部は、移動側メンバーの収納状態で移動側メンバーの前端部に係脱自在なラッチ部を、移動側メンバー側に有しているものである。
【００１１】
さらに、上記課題を解決するため本発明が手段とする第４の特徴は、上記第１の特徴、又は、上記第２の特徴、又は、上記第３の特徴に加え、後端部保持部材と前端部保持部材が固定側部材に取付けられた状態で、前部案内壁及び後部案内壁と固定側部材間に、移動側部材に設けられたカバー体の一部が通過可能な前後カバー用間隙が形成されているものである。
【発明の効果】
【００１２】
請求項１に記載の発明によると、後端部保持部材は、下折曲縁の下面に沿って固定側メンバーの後端部を支持する後部載置用突部と、後部載置用突部の後端に連設された固定側メンバーの後方への移動を阻止する移動防止用突壁と、移動防止用突壁の内面側に連設された、ボール摺動溝に後端から密嵌する上下嵌入突起と、移動防止用突壁の固定側部材側端部の前方と、後部載置用突部の固定側部材側端部の上方に連設された後部案内壁を有しているので、スライドレールは、固定側メンバーの後端部を後部案内壁の内面に沿うように移動させて、後部載置用突部の上面に載置し、その状態で後方に移動させると、上下のボール摺動溝に上下嵌入突起が密嵌し、同時に後部載置用突部は下折曲縁の下面に沿って、固定側メンバの後端部を支持するので、目視できなくても容易に取付けることが可能で、上下嵌入突起は下折曲縁内面の上下のボール摺動溝に密嵌し、固定側メンバーの後端部は移動防止用突壁に当接するので、固定側メンバーは後方に移動することがなく、内面側にも外面側にも傾動する事がない。
【００１３】
そして、前端部保持部材は、固定側メンバーの下折曲縁の下面に沿って固定側メンバーの前端部を支持する前部載置用突部と、前部載置用突部の前端に連設された固定側メンバーの前方への移動を阻止するストッパー突部と、ストッパー突部と前部載置用突部の固定側部材側端部に上方に連設された前部案内壁を有しているので、固定側メンバーの後端部が後端部保持部材に保持されると同時に、前部載置用突部は下折曲縁の下面に沿って、固定側メンバの前端部を支持し、ストッパー突部は固定側メンバーの下折曲縁の前端に位置するので、固定側メンバーは前方へ移動することがなく、左右のスライドレール間に棚板等が配設されることにより、内面側にも外面側にも傾動することがない。
すなわち、スライドレールの取付に、工具を一切使用することがなく、固定側部材内に潜り込む必要もないので、取付、取外し作業が非常に容易である。
【００１４】
請求項２に記載の発明によると、請求項１に記載の発明による効果に加え、後端部保持部材の移動側防止突部と後部載置用突部は固定側メンバーとほぼ等しい厚みに形成され、後部案内壁とほぼ平行な固定側部材の一部に形成された後取付用嵌合孔に、後端部保持部材に形成された連結用後部嵌合突起が嵌合して、固定側部材に後端部保持部材が取付られているので、スライドレールの移動側メンバーに取付けられる移動側部材は、後端部保持部材の取付位置に影響されることがなく、固定側部材の奥行き一杯まで形成することが出来、移動側部材の後方にデッドスペースが生じることがない。
又、後端保持部材の取付位置で使用されるスライドレールの長さが選択されるので、固定側部材の奥行き寸法が一定であっても、使用される用途に最適な長さのスライドレールを選択することが出来、汎用性に優れている。
【００１５】
又、後端部保持部材も前端部保持部材も、後取付用嵌合孔及び前取付用嵌合孔に、連結用後部嵌合突起及び連結用前部嵌合突起が嵌合して取付けられる構成であるから、取り付け、取り外し作業が非常に容易である。
【００１６】
請求項３に記載の発明によると、請求項１に記載の発明による効果、又は、請求項２に記載の発明による効果に加え、前部載置用突部は、移動側メンバーの収納状態で移動側メンバーの前端部に係脱自在なラッチ部を、移動側メンバー側に有しているので、運搬中、あるいは、地震等で固定側部材が傾いたとしても、移動側メンバーが不足に飛び出すことがなく安全に使用することが出来る。
【００１７】
請求項４に記載の発明によると、請求項１に記載の発明による効果、又は、請求項２に記載の発明による効果、又は、請求項３に記載の発明による効果に加え、後端部保持部材と前端部保持部材が固定側部材に取付けられた状態で、後部案内壁及び前部案内壁と固定側部材間に、移動側部材に設けられたカバー体の一部が通過可能なカバー用間隙が形成されているので、カバー体が移動側メンバーの摺動に影響を与えることがなく、移動側メンバーを上方から隠蔽するので、引出し等が引出された状態でも移動側メンバーが露出せず、体裁よく使用することが出来る。
【発明を実施するための最良の形態】
【００１８】
固定側メンバーと、固定側メンバーに摺動自在に保持される移動側メンバー等よりなるスライドレールの後端部が、固定側部材に取付けられた後端部保持部材に保持され、前端部が固定側部材に取付られた前端部保持部材に保持されるスライドレールの取付装置において、固定側メンバーは、基板と、内面にボール摺動溝が形成された上下折曲縁より断面略Ｃ字形に形成され、後端部保持部材は、下折曲縁の下面に沿って固定側メンバーの後端部を支持する後部載置用突部と、後部載置用突部の後端に連設された固定側メンバーの後方への移動を阻止する移動防止用突壁と、移動防止用突壁の内面側に連設された、ボール摺動溝に後端から密嵌する上下嵌入突起と、移動防止用突壁の固定側部材側端部の前方と、後部載置用突部の固定側部材側端部の上方に連設された後部案内壁を有し、前端部保持部材は、下折曲縁の下面に沿って固定側メンバーの前端部を支持する前部載置用突部と、前部載置用突部の前端に連設された固定側メンバーの前方への移動を阻止するストッパー突部と、ストッパー突部と前部載置用突部の固定側部材側端部に上方に連設された前部案内壁を有し、後端部保持部材の移動側防止突部と後部載置用突部は固定側メンバーとほぼ等しい厚みに形成され、後部案内壁と平行に位置する固定側部材の一部に形成された後取付用嵌合孔に、後端部保持部材に形成された連結用後部嵌合突起が嵌合して、固定側部材に後端部保持部材が取付られ、前部案内壁と平行に位置する固定側部材の一部に形成された前取付用嵌合孔に、前端部保持部材に形成された連結用前部嵌合突起が嵌合して、固定側部材に前端部保持部材が取付られ、前部載置用突部は、移動側メンバーの収納状態で移動側メンバーの前端部に係脱自在となるラッチ部を、移動側メンバー側に有し、前端部保持部材と後端部保持部材が固定側部材に取付けられた状態で、前部案内壁及び後部案内壁と固定側部材間に、移動側部材に設けられたカバー体の一部が通過可能な前後カバー用間隙が形成されているものである。
【実施例】
【００１９】
以下、実施例を図面に基づいて説明する。
図１、図２において、符号１０は固定側部材、符号２０は移動側部材、符号１００はスライドレールを示している。
スライドレール１００、１００は、固定側部材１０の左右側板１０１、１０１の内面前後端部に着脱自在に取付けられる前端部保持部材５、５、後端部保持部材６、６に左右に対向して連結され、移動側部材連結金具２０７を介して、移動側部材２０が連結され、移動側部材２０に設けられたカバー体７、７にて、引出された状態のスライドレール１００の突出部分が隠蔽されている。
【００２０】
実施例では、固定側部材１０は、左右側板１０１、１０１と、左右の側板１０１、１０１の上下端部間に配設された上板１０２、下板１０３と、左右側板１０１、１０１、上板１０２、下板１０３の後端部間に配設された背板１０４より構成されている。
そして、左右側板１０１、１０１の内面側の後端部には、上下方向に所定間隔を有して、後端部保持部材６を取付けるための後取付用嵌合孔１０５・・・が複数個形成され、左右側板１０１、１０１の内面側の前端部には、前後方向に所定間隔を有して一対とした、前端部保持部材５を取付けるための前取付用嵌合孔１０６・・・が上下方向に所定間隔を有して、複数個形成されている。
【００２１】
実施例では、移動側部材２０は、引出し板２０２と、引出し板２０２の前端縁に垂下して一体的に形成された、下端縁が引き手の機能を有する前板２０３よりなり、引出し板２０２の左右端部側上面には前記カバー体７、７の水平片７１、７１を面一に連結するための段部２０５が形成されている。
【００２２】
スライドレール１００は、図３に示すように、前後端部保持部材５、６を介して固定側部材１０に連結される固定側メンバー１と、固定側メンバー１に摺動自在な中間メンバー３と、中間メンバー３に摺動自在な移動側メンバー２と、中間メンバー３と固定側メンバー１間に配設される固定側ボールリテーナー４と、中間メンバー３と移動側メンバー２間に配設される移動側ボールリテーナー４０より構成されている。
【００２３】
固定側メンバー１は、金属製の細長条板の短手両端部を内向き円弧状に折り曲げた内面長手方向にボール案内溝１１０、１１０を有する上下折曲縁１１、１１と、固定側部材１０の左右側板１０１側に位置する固定側メンバー基板１２より断面略Ｃ字形に形成されている。
そして、固定側メンバー基板１２の収納側端部を移動側メンバー２方向に折り曲げて固定側収納時ストッパー１３が形成され、固定側メンバー基板１２の引出し側端部を移動側メンバー２方向に折り曲げて固定側移動時ストッパー１４（図８に示めす。）が形成されている。
【００２４】
中間メンバー３は、上記固定側メンバー１に挿入可能な大きさで固定側メンバー１よりやや短い長さの固定側基板３１と、固定側基板の上下端部を外向き円弧状に折り曲げた上下の両折曲縁３２、３２よりなる断面略Ｃ字形の固定側中間メンバー３０と、上記移動側メンバー２に挿入可能な大きさで固定側メンバー１よりやや短い長さの移動側基板３０１と、移動側基板３０１の上下端部を内向き円弧状に折り曲げた上下の両折曲縁３０２、３０２よりなる断面略Ｃ字形の移動側中間メンバー３００を、固定側基板３１の後端部が移動側基板３０１の後端部より収納側に突出するよう背中合わせに固着した断面略Ｉ字形に構成されている。
そして、移動側基板３０１の引出し側端部を移動側メンバー２方向に折り曲げてボールリテーナー引出し時ストッパー（図示せず。）が形成され、固定側基板３１の収納側端部を固定側メンバー１方向に折り曲げてボールリテーナー収納時ストッパー３１１が形成されている。  
【００２５】
移動側メンバー２は、固定側メンバー１と対向した同形同長に形成され、金属製の細長条板の短手両端部を内向き円弧状に折り曲げて形成された内面長手方向にボール案内溝２１０、２１０を有する上下の両折曲縁２１、２１と、移動側メンバー基板２２より、断面略Ｃ字形に形成されている。
【００２６】
そして、移動側メンバー基板２２の引出し側端部を固定側メンバー１方向に折り曲げて形成された移動側収納時ストッパー２３（図８に示す。）と、移動側メンバー基板２２の収納側端部を固定側メンバー１方向に折り曲げて形成された移動側移動時ストッパー２４を有している。
符号２０７（図８に示めす。）は、移動側メンバー２の基板２２の外面に固着された逆Ｌ字形の移動側部材連結金具を示している。
【００２７】
固定側ボールリテーナー４と移動側ボールリテーナー４０は対向した同形で、帯条金属板にて固定側メンバー１、移動側メンバー２及び、中間メンバー３との間に挿入可能な大きさで、かつ、両メンバー１、２の半分以下の長さで、基板４１、４０１と上下の折曲片４２、４２、４０２、４０２からなり、基板４１、４０１は中央部をコ字形に折り曲げ、そして、上下の両折曲片４２、４２、４０２、４０２の摺動方向の数箇所に複数個のボール４００・・・を回転自在に保持している。
【００２８】
実施例のスライドレール１００は上記の如く構成され、スライドレール１００の最大伸長時には、移動側メンバー２の移動側移動時ストッパー２４が緩衝部材を介してボールリテーナー４０の収納側端面に当接し、ボールリテーナー４０の引出し側端面は緩衝部材を介して中間メンバー３のボールリテーナー引出し時ストッパーに当接し、中間メンバー３のボールリテーナー収納時ストッパー３１１がボールリテーナー４の収納側端面に緩衝部材を介して当接し、ボールリテーナー４の引出し側端面が緩衝部材を介して固定側移動時ストッパー１４に当接している。
【００２９】
一方、スライドレール１００の最短収縮状態では、移動側メンバー２の引出し側端部の移動側収納時ストッパー２３が緩衝部材を介して中間メンバー３の引出し側端部に形成されたボールリテーナー引出し時ストッパーに当接し、中間メンバー３の収納側端部に形成されたボールリテーナー収納時ストッパー３１１が緩衝部材を介して固定側メンバー１の収納側端部に形成された固定側収納時ストッパー１３に当接している。
【００３０】
後端部保持部材は６は、固定側メンバー１の下折曲縁１１の下面に沿った後端支持凹部６１１が上面に形成された、固定側メンバー１の後端部を支持する後部載置用突部６１と
、後部載置用突部６１の後端に上方に突出して連設された固定側メンバー１の後方への移動を阻止する移動防止用突壁６２と、移動防止用突壁６２の内面側に連設された、固定側メンバー１のボール摺動溝１１０に後端から密嵌する上下嵌入突起６３、６３と、移動防止用突壁６２の固定側部材１０側端部の前方と、後部載置用突部６１の固定側部材１０側端部の上方に、固定側部材１０から後記するカバー体７の一部が通過可能なカバー用後間隙６６を有して連設された後部案内壁６４と、移動防止用突壁６２の固定側部材１０側端面の上下端部に固定側部材１０に形成された後取付用嵌合孔１０５・・・に嵌合する連結用後部嵌合突起６５、６５が合成樹脂材にて一体に成形され、後部案内壁６４の内側に位置する後部載置用突部６１と移動防止用突壁６２は、固定側メンバー１とほぼ等しい厚みに形成されている。
【００３１】
前端部保持部材５は、固定側メンバー１の下折曲縁１１の下面に沿った前端支持凹部５１１が上面に形成された固定側メンバー１の前端部を支持する前部載置用突部５１と、前部載置用突部５１の前端に連設された固定側メンバー１の前方への移動を阻止する上方に突出するストッパー突部５２と、前部載置用突部５２の固定側部材１０側端部に上方に突出して、固定側部材１０から後記するカバー体７の一部が通過可能なカバー用前間隙５６を有して連設された前部案内壁５４と、前部載置用突部５１の移動側メンバー２側に前方に突出するよう後端部に連設された、移動側メンバー２の収納状態で移動側メンバー２の前端部に係脱自在となる係止突部５５１を有するラッチ部５５と、前部載置用突部５１の固定側部材１０側端面の前後端部に固定側部材１０に形成された前取付用嵌合孔１０６・・・に嵌合する連結用前部嵌合突起５７、５７が合成樹脂材にて一体に成形され、前部載置用突部５１は、固定側メンバー１とほぼ等しい厚みに形成されている。
【００３２】
ラッチ部５５は、前部載置用突部５１の後端部に連設された連設部５５２と、連設部５５２の前方に突出して設けられた弾性脚部５５３と、弾性脚部５５３の前端部から後方に向かって上方に傾斜する案内傾斜面５５４を有する係止突部５５１より形成されている。
【００３３】
カバー体７、７は対向した同形に形成されているので一方側についてのみ説明すると、カバー体７は、水平片７１と垂下片７２より、略逆Ｌ字形に形成され、水平片７１が引出し板２０２の左右端部側上面に形成された段部２０５に連結されて、引出し板２０２と水平片７１の上面が面一となり、スライドレール１００が最短縮小状態で、垂下片７２が前後端部保持部材５、６のカバー用前間隙５６、カバー用後間隙６６内に位置してスライドレール１００を上方から隠蔽し、最長伸長状態で固定側部材１０から前方に突出した移動側メンバー２、中間メンバー３を上方及び側方から隠蔽している。
【００３４】
本発明の前端部保持部材５と後端部保持部材６は上記の如く構成され、スライドレール１００の固定側メンバー１の後端部を後部案内壁６４の内面に沿うように後方に移動させて後部載置用突部６１の後端支持凹部６１１に下折曲縁１１の下面を載置し、その状態で後方に移動させると、上下のボール摺動溝１１０、１１０に上下嵌入突起６３、６３が密嵌し、後部載置用突部６１は後端支持凹部６１１は下折曲縁１１の下面に沿って、固定側メンバー１の後端部を後部載置用突部６１は支持する。
これと同時に、前端部保持部材５の前端支持凹部５１１は固定側メンバー１下折曲縁１１の下面に沿って、固定側メンバー１の前端部を前部載置用突部５１で支持され、固定側メンバー１の前端部はストッパー突部５２の収納側に位置する。
【００３５】
したがって、ストッパー突部５２と移動防止用突壁６２によって固定側メンバー１の前後方向への移動は阻止され、上下嵌入突起６３、６３のボール摺動溝１１０、１１０への密嵌によって、固定側メンバー１の左右方向への揺れは阻止される。
そして、ラッチ部５５の係止突部５５１が、移動側メンバー２の前端部に係合している（図９に示めす状態。）ので、移動側メンバー２（移動側部材２０）が不用意に前方に飛び出すことはない。
【００３６】
一方、移動側部材２０が固定側部材１０内に収納された状態（図９に示す状態）から移動側部材２０を引出すときは、移動側部材２０の前板２０３の下方より指先を潜り込ませて、ラッチ部５５の係止突部５５１を弾性脚部５５３の弾性に抗して下方に押し下げた状態を維持しながら、移動部材２０を前方に引出す。
【図面の簡単な説明】
【００３７】
【図１】本発明の使用状態を示す斜視図
【図２】本発明の要部分解斜視図
【図３】スライドレールの要部拡大縦断面図
【図４】後端部保持部材の斜視図
【図５】前端部保持部材の斜視図
【図６】スライドレールを取付けた状態の後端部保持部材部分での縦断面図
【図７】スライドレールを取付けた状態の前端部保持部材部分での縦断面図
【図８】スライドレールを取付けた状態の前端部保持部材部分の前側部分での縦断面図
【図９】図8のＡ−Ａ線断面図
【符号の説明】
【００３８】
１              固定側メンバー
１０            固定側部材
１１、１１      上下折曲縁
１００          スライドレール
２      
移動側メンバー
３              中間メンバー
５              前端部保持部材
５１            前部載置用突部
５１１          前端支持凹部が
５２            ストッパー突部
５５            ラッチ部
５５１          係止突部
５６            カバー用前間隙
６              後端部保持部材
６１            後部載置用突部
６１１          後端支持凹部
６２            移動防止用突壁
６３、６３      上下嵌入突起
６４            後部案内壁
６６            カバー用後間隙
７              カバー体
【図１】
2010104735.tif 000003
【図２】
2010104735.tif 000004
【図３】
2010104735.tif 000005
【図４】
2010104735.tif 000006
【図５】
2010104735.tif 000007
【図６】
2010104735.tif 000008
【図７】
2010104735.tif 000009
【図８】
2010104735.tif 000010
【図９】
2010104735.tif 000011